(57)【要約】【課題】見やすくコードレスの車載ＧＰＳ装置を提供することを課題としたもので、さらには、車載用として、受光効率とＧＰＳアンテナの受信効率とが効率的な状態で使用できる車載ＧＰＳ装置を提供する。【解決手段】前面にＬＣＤ（１２）を設けたＧＰＳ受信機本体（１０）の上面に、該ＧＰＳ受信機本体（１０）の後面上辺と平行な軸（１１）で枢止した、仰伏動翼体（２０）を設ける。この仰伏動翼体（２０）には、その上面に受光面（２１ａ）を向けて太陽電池（２１）を取り付けると共に、ＧＰＳアンテナ（２２）を収納してある。また、上記ＧＰＳ受信機本体（１０）には、自動車のサンバイザー（６２）にその底面を当接して着脱可能に取り付ける連結具（５１）と、ＬＣＤ（１２）の表示を上下逆転するスイッチ等の操作部（５２）とを設けてなる。【選択図】      図１
2004271425.tif 000002
【特許請求の範囲】
【請求項１】
前面にＬＣＤ（１２）を設けたＧＰＳ受信機本体（１０）の上面に、該ＧＰＳ受信機本体（１０）の後面上辺と平行な軸（１１）で枢止した、仰伏動翼体（２０）を設け、
上記仰伏動翼体（２０）には、その上面に受光面（２１ａ）を向けて太陽電池（２１）を取り付けると共に、ＧＰＳアンテナ（２２）を収納し、
上記ＧＰＳ受信機本体（１０）には、自動車のサンバイザー（６２）にその底面を当接して着脱可能に取り付ける連結具（５１）と、ＬＣＤ（１２）の表示を上下逆転するスイッチ等の操作部（５２）とを設けてなる車載用ＧＰＳ装置。
【発明の詳細な説明】
【０００１】
【発明の属する技術分野】
本発明は、車載用ＧＰＳ装置に関するもので、さらに詳しくは、表示手段にＬＣＤを設けた車載用ＧＰＳ装置に関するものである。
【０００２】
【従来の技術】
従来、一般的には車載用ＧＰＳ装置の電源はその消費電力が大きいので、車両のバッテリーが使用され、その結果、車載用ＧＰＳ装置とバッテリー（通常シガーライタープラグを利用）とを連結する電源コードが必要で、この邪魔な電源コードを車内に這わせている。
【０００３】
しかし、最近は、太陽電池の性能向上と、ＧＰＳ装置の節電技術向上とで、小面積の受光面の太陽電池で、該ＧＰＳ装置を車両のバッテリーを使用することなく（コードレスで）連続運転することが可能となってきた。
【０００４】
また、従来、表示手段としての液晶画面に、該液晶画面の姿勢（ＧＰＳ受信機本体の姿勢）に対応して、表示画面を上下反転したりする技術（特許文献１）（特許文献２）が開示されている。
【０００５】
【発明が解決しようとする課題】
そこで、本発明は、上記従来技術を利用して、見やすくコードレスの車載ＧＰＳ装置を提供することを課題としたもので、さらには、車載用として、受光効率とＧＰＳアンテナの受信効率とが効率的な状態で使用できる車載ＧＰＳ装置を提供することを課題としたものである。
【０００６】
【特許文献１】特開２００２−４１５２６号公報
【特許文献２】特開２００１−３２０６２５号公報
【０００７】
【課題を解決するための手段】
本発明は、上記課題を達成するため、前面にＬＣＤ１２を設けたＧＰＳ受信機本体１０の上面に、該ＧＰＳ受信機本体１０の後面上辺と平行な軸１１で枢止した、仰伏動翼体２０を設け、上記仰伏動翼体２０には、その上面に受光面２１ａを向けて太陽電池２１を取り付けると共に、ＧＰＳアンテナ２２を収納し、上記ＧＰＳ受信機本体１０には、自動車のサンバイザー６２にその底面を当接して着脱可能に取り付ける連結具５１と、ＬＣＤ１２の表示を上下逆転するスイッチ等の操作部５２とを設けてなる技術的手段を講じたものである。
【０００８】
次に、本発明の作用を説明するが、その前に、本発明車載用ＧＰＳ装置の想定している二つの使用形態を、図３を参照して説明する。本発明車載用ＧＰＳ装置は図３に示すように、運転席又は助手席のダッシュボード６１の上に置いて使用する場合と、運転席又は助手席のサンバイザー６２に取り付けて使用することを想定している。この二通りの使用形態を代表例としたのは、第一に利用者が表示を見やすくするためで、車両の運転にできるだけ支障なく、表示を見ることができる場所を選定したためである。また、他の理由としての、第２の理由は、太陽光線を太陽電池２２の受光面２１に確実に受光させるためである。太陽光線を車両内で最大限に利用する場合まず想定できる場所は車両のフロントガラスＦＧ内側で、フロントガラスＦＧ内面に太陽電池２２の受光面２１をできるだけ広い面積で近接するのが望ましい。また、第三の理由は人工衛星よりの微弱なＧＰＳ用電波を車内で適格に受信できる場所も、非金属面であるフロントガラスＦＧの内側が最も望ましい場所である。そこで、本発明では、二つの使用形態として、図３に示すように、運転席又は助手席のダッシュボードの上に置いて使用する場合と、運転席又は助手席のサンバイザーに取り付けて使用することを想定したものである。
【０００９】
そこで、本発明車載用ＧＰＳ装置は、前面にＬＣＤ１２を設けたＧＰＳ受信機本体１０の上面に、該ＧＰＳ受信機本体１０の後面上辺と平行な軸１１で枢止した、仰伏動翼体２０を設け、上記仰伏動翼体２０には、その上面に受光面２１ａを向けて太陽電池２１を取り付けると共に、ＧＰＳアンテナ２２を収納してなるので、ＧＰＳ受信機本体１０をその前面のＬＣＤ１２を使用者が見えるようにして（ＬＣＤ１２を図１および図２では左側に向け、図３では右側に向け）ダッシュボード６１の上に置く。そして仰伏動翼体２０を仰動させると、この仰伏動翼体２０に設けた太陽電池２１の受光面２１ａを車両ＣのフロントガラスＦＧの内面に略平行に近接させることができ、かつ、ＧＰＳアンテナ２２を同車両ＣのフロントガラスＦＧの内面に近接させる作用を呈する。
【００１０】
次に、本発明車載用ＧＰＳ装置は、連結具５１でＧＰＳ受信機本体１０を、自動車のサンバイザー６２にその底面を当接して着装し、仰伏動翼体２０を仰動させる（同時にサンバイザーの角度を適宜に設定する）と、図３に示すように、該仰伏動翼体２０を車両ＣのフロントガラスＦＧの上部の内面に沿わせることができ、太陽電池２１の受光面２１ａを車両ＣのフロントガラスＦＧ内面に略平行に近接させることができ、かつ、ＧＰＳアンテナ２２を同車両ＣのフロントガラスＦＧの内面に近接させる作用を呈し、確実に太陽光を受光し、また、ＧＰＳ用等の電波を確実に受信する体制となる作用を呈するものである。
【００１１】
但し、上記のように連結具５１でＧＰＳ受信機本体１０を、自動車のサンバイザー６２にその底面を当接して着装した場合、ダッシュボード６１の上に置いた場合とは異なって、図３のように、該ＧＰＳ受信機本体１０は使用者から見ると上下が逆になる。従って、ＬＣＤ１２の表示も逆になるので、本発明では、この使用状態の場合は、表示を上下逆転するスイッチ等の操作部５２で表示のみを逆転して使用者には正常に読み取れるようになすことができる作用を呈するものである。
【００１２】
【実施例】
次に本発明の実施例を添付図面に従って詳細に説明する。図中、１０がでＧＰＳ受信機本体である。このＧＰＳ受信機本体１０は複数のＧＰＳ用人工衛星よりの電波を受信して、この受信信号から、現在位置データと現在時刻データとを取得して、その前面に設けたＬＣＤ（液晶モニター）１２に、現在位置の経度と緯度とを数値で表示するのを基本構成としているが、図示はしていない記憶回路または記憶媒体等の記憶装置に各種のデータを記憶し、例えば、交通支障場所の位置データを記憶しておいて、この交通支障場所に近づくと警報で知らせるとか、禁猟場所を記憶しておき禁猟区域に近づくと警報で知らせる等の各種応用機能を付加してもよいのは無論である。
【００１３】
なお、走行中の車両の現在位置を一定間隔で測定すると、走行速度、走行方向、目的地までの直線距離、標高、道路の傾斜等の情報も得られるもので、これらをＬＣＤに表示しても良く、さらには、各道路の法定最高許容走行速度をデータとして記憶させ、走行速度がその制限速度以内であるかを判定して（速度オーバー等の）危険性を知らせる等してもよいものである。
【００１４】
そして、上記ＧＰＳ受信機本体の前面にはＬＣＤ１２を設け、該ＧＰＳ受信機本体１０の上面には、このＧＰＳ受信機本体１０の後面上辺と平行な軸１１で枢止した、仰伏動翼体２０を設けてある。
【００１５】
上記仰伏動翼体２０は、容器状に構成され、太陽電池２１と、ＧＰＳアンテナ２２とを収納してある。無論、該太陽電池２１は太陽光線を受けてその太陽光線を電力に変換する従来公知なものが使用され、太陽光線を可能な限り多く受けるべく、上記仰伏動翼体の上面に受光面２１ａを向けて取り付けてある。また、ＧＰＳアンテナ２２は図１では窓孔２２ａ内に設けてあるが、前記太陽電池２１とはことなり、その一部が直接電波と接触するように露出する必要性はなく、電波が大きく減衰することなく通過できる非金属製の仰伏動翼体２０内に密閉しても無論差し支えない。
【００１６】
なお、上記ＧＰＳアンテナ２２は、ＧＰＳ専用でも他の電波をも受信できる兼用のものでもよく、さらには複数種類の専用アンテナを収納してもよい。具体的には、救急車等の緊急車両に割り当てられた特別の周波数の電波を受信すると、緊急車両が近接したことを知り、緊急車両の通行に支障とならないように対処する等の交通安全に役立たせることもできるものである。
【００１７】
なお、車両Ｃのダッシュボード６１を水平面とすると、該車両Ｃに乗った使用者からみると、フロントガラスＦＧは、該ダッシュボード６１の奥部位から上方が手前側に傾斜するようになっている。従って、前記仰伏動翼体２０をＧＰＳ受信機本体１０の後面の上辺と平行な軸１１を回転中心軸として、該仰伏動翼体２０の手前側を上方に持ちあげ、図２に破線で示すように仰動する。すると仰伏動翼体２０は仰動して、フロントガラスＦＧと略同じ傾斜角度となり、該フロントガラスＦＧの下部内面に最も近づけることができ、車外の太陽光線を最も効果的に受光できることになるものである。
【００１８】
次に，車両Ｃの社内は通常金属製のボディーで覆われ、電波はシールドされる傾向にあり、窓部は唯一電波が社内に良く届く部位となる。そこで、微弱なＧＰＳ用の電波は太陽電池２１と同様にフロントガラスＦＧに近接することが望ましい。そこで、本発明では太陽電池と同様にＧＰＳアンテナ２２も前記仰伏動翼体２０に取り付けているものである。
【００１９】
そして、上記ＧＰＳ受信機本体１０には、自動車（車両Ｃ）のサンバイザー６２にその底面を当接して着脱可能に取り付ける連結具５１と、ＬＣＤ１２の表示を上下逆転するスイッチ等の操作部５２とを設けてなる。この連結具５１は、図示例ではバネ付きクリップを使用し、図２に最も明らかに示すように、先端（図２左端側）を閉じる方向（先端がＧＰＳ受信機１０の底面に圧接するように）に図では省略したバネで付勢したクリップ体５３を軸５４で枢着して取り付け、上記ＧＰＳ受信機本体１０の底面とこのクリップ体５３との間にサンバイザー６２を挟み込んで、該サンバイザー６２にＧＰＳ受信機本体１０を着脱可能に取り付けられるようになしてあるが、この連結具５１はサンバイザー６２にＧＰＳ受信機本体１０を着脱可能に取り付けられるものであれば、面状ファスナーやホック等の従来公知な別の連結具，連結金具などを使用してもよいものである。
【００２０】
ＬＣＤ１２の表示を上下逆転するスイッチ等の操作部５２としては特許文献１及び特許文献２に示される従来公知なものを使用すれば良く、具体的には受信機本体１０の底面がサンバイザー６２に圧接すると閉成するマイクロスイッチ（図示せず）等を使用し、このマイクロスイッチがＯＦＦの場合は表示が通常で、ＯＮとなると表示が自動的に逆転するもの等を使用してもよいが、本実施例ではこの切り替えは頻繁には行われないものと想定し、便宜性よりは信頼性に重点を置いて、手動スイッチを操作して逆転するようになしてある。
【００２１】
なお、図中、ＦＷは前輪、ＢＷは後輪、２３はＧＰＳ受信機本体１０の底面に凸設した足片を示すもので、この足片２３はその下端が、クリップ体５３の最も低い位置の摘み部５３ａと略一致し、ＧＰＳ受信機本体１０がダッシュボード６１の上に水平に置けるように構成している。また、該足片２３，２３（通常図２の奥手前に一対用意される）の下面と、クリップ体５３の摘み部５３ａの最も低い位置とには滑り止めのゴム材等を貼付して、変位しずらいようになしておくことが望ましいのは無論である。
【００２２】
【発明の効果】
本発明によれば、車内の運転席および助手席に乗った人に見やすいダッシュボード６１の上、またはサンバイザー６２に取り付けて使用できる手軽な車載用ＧＰＳ装置を提供できるものである。また本発明は、見やすい場所に上下逆転して設置しても、表示自体は使用者が読みやすい正常状態となす事ができる車載用ＧＰＳ装置を提供できるものである。
【００２３】
また、本発明は、仰伏動翼体２０に、太陽電池２１と、ＧＰＳアンテナ２２とを収納してあるので、ＧＰＳ受信機本体１０をダッシュボード６１の上、またはサンバイザー６２に取り付けた状態で、仰伏動翼体２０を仰動させることで太陽電池２１の受光面２１ａをフロントガラスＦＧの内面に略平行に近接させ、太陽光を効果的に受光できる車載用ＧＰＳ装置を提供できるものである。なお、ＧＰＳアンテナ２２も仰伏動翼体２０に収納してあるので、同様に微弱な電波も効率的に受信できる車載用ＧＰＳ装置を提供できるものである。
【００２４】
また、本発明は、ＬＣＤ１２の表示を上下逆転するスイッチ等の操作部５２を設けてなるので、ＧＰＳ受信機本体１０をダッシュボード６１の上に置いた場合と、またはサンバイザー６２に取り付けた状態とで、該ＧＰＳ受信機本体１０が上下逆転しても表示自体は使用者が読取や易い正常な表示状態となすことができる車載用ＧＰＳ装置を提供できるものである。
【図面の簡単な説明】
【図１】本発明車載用ＧＰＳ装置の一実施例を示す、斜視図である。
【図２】本発明車載用ＧＰＳ装置の一実施例を示す、正面図である。
【図３】本発明車載用ＧＰＳ装置の使用状態を示す斜視図である。
【符号の説明】
１      ＬＣＤ
１０    ＧＰＳ受信機本体
１１    軸
２０    仰伏動翼体
２１    太陽電池
２１ａ  受光面
２２    ＧＰＳアンテナ
５１    連結具
１      操作部
６２    サンバイザー
【図１】
2004271425.tif 000003
【図２】
2004271425.tif 000004
【図３】
2004271425.tif 000005